(57)【特許請求の範囲】
【請求項１】
容器の口部上端に配置される天壁部を有し、当該天壁部にヒンジ蓋の輪郭を形作るとともに操作片を用いて取り外し可能な帯状部が設けられたベースと、
当該ベースの天壁部に対して着脱可能に固定される周壁を有し、当該周壁の内側に、容器に通じる通路が形成された注出筒を保持するとともに天壁部との間に操作片の収納空間を形成する弾性膜が設けられた注出カバーを備え、
ヒンジ蓋は、注出筒の後端に接触することにより前記通路を遮断するとともに、弾性膜が注出筒の押し込みによって変形したとき、当該注出筒で押し開かれることで、前記通路を通して容器の内側を外界に通じさせるものであることを特徴とする注出キャップ。
【請求項２】
請求項１において、前記弾性膜は、注出筒から放射状に伸びる凸部又は凹部を備えることを特徴とする注出キャップ。
【請求項３】
請求項１又は２において、前記帯状部は、天壁部から別体として分離されるものであることを特徴とする注出キャップ。
【請求項４】
請求項１乃至３のいずれか１項において、前記帯状部は、天壁部の一部として片持ち支持されるものであることを特徴とする注出キャップ。
【発明の詳細な説明】
【技術分野】
【０００１】
本発明は、例えば、一方の容器に充填された内容物を他方の容器に詰め替える際に用いられる注出キャップに関するものである。
【背景技術】
【０００２】
詰め替えを行う手段としては、例えば、内容物の充填が行われる本体容器の口部に挿入される挿入口部を有し、この挿入口部の上部に切断可能な薄肉部を介してもぎり栓を設けるとともに、当該挿入口部を倒立させて他の容器口部に挿入したとき、当該倒立状態が維持されるように、口部内周面に弾性圧接する羽根部を設けたものがある（例えば、特許文献１参照）。
【先行技術文献】
【特許文献】
【０００３】
【特許文献１】特願２０１０−１２６２２０号公報
【発明の概要】
【発明が解決しようとする課題】
【０００４】
このように詰め替え容器を倒立させて本体容器の口部に挿し込むことにより、内容物を詰め替える方法は、ポンプ付き容器に代表される据え置きタイプに有効である。
【０００５】
しかしながら、上述した従来のものは、もぎり栓を取った詰め替え容器を倒立させて、本体容器に挿し込むまでの間に、内容物がこぼれてしまう可能性がある。
【０００６】
本発明の目的とするところは、開封状態で逆さまにしても内容物がこぼれることなく、内容物を取り出すことができる新規の注出キャップを提供することにある。
【課題を解決するための手段】
【０００７】
本発明は、容器の口部上端に配置される天壁部を有し、当該天壁部にヒンジ蓋の輪郭を形作るとともに操作片を用いて取り外し可能な帯状部が設けられたベースと、
当該ベースの天壁部に対して着脱可能に固定される周壁を有し、当該周壁の内側に、容器に通じる通路が形成された注出筒を保持するとともに天壁部との間に操作片の収納空間を形成する弾性膜が設けられた注出カバーを備え、
ヒンジ蓋は、注出筒の後端に接触することにより前記通路を遮断するとともに、弾性膜が注出筒の押し込みによって変形したとき、当該注出筒で押し開かれることで、前記通路を通して容器の内側を外界に通じさせるものであることを特徴とするものである。
【０００８】
弾性膜には、筒体部から放射状に伸びる凸部又は凹部を設けることが好ましい。
【０００９】
帯状部の取り外しは、天壁部から別体として分離されるものとすることができる。また、帯状部を、天壁部の一部として片持ち支持されるものとすることもできる。
【発明の効果】
【００１０】
本発明では、天壁部に設けた帯状部を取り外すまでは、容器の未開封状態を維持することができる。そして、使用時には、注出カバーを開いた後、操作片を用いて帯状部を切断等で取り外すだけの簡単な操作で、注出筒を密封するヒンジ蓋を天壁部に形成することができる。このため、帯状部を取り外したのち、容器ごと逆さまにしても、容器の内容物は注出筒の内側に形成された通路を通して漏れることがない。
【００１１】
その一方で、ヒンジ蓋は、注出筒を他の容器の口部に挿入したとき、当該口部の上端に弾性膜が接触する等して、当該注出筒で押し開かれることで、前記通路を通して容器の内側を外界に通じさせるため、注出筒を他の容器の口部に挿入すれば、注出筒の内側に形成された通路を通して内容物を取り出すことができる。
【００１２】
従って、本発明によれば、開封状態で逆さまにしても内容物がこぼれることなく、注出筒を通して取り出すことができる新規の注出キャップを提供することができる。
【図面の簡単な説明】
【００１３】
【図１】本発明である注出キャップの第１の形態であって、当該キャップを詰め替え容器に採用した状態を示す斜視図である。
【図２】(a)は、同形態に係る詰め替え容器であって、その未開封状態を示す要部縦断面図であり、(b)は、(a)のＸ方向矢視図である。
【図３】同形態に係る詰め替え容器であって、注出カバーを開いて帯状部を取り外した開封状態を示す要部縦断面図である。
【図４】(a)は、図３のＸ方向矢視図であって、(b)には、天壁部から分離した帯状部を合わせて示す。
【図５】同形態に係る詰め替え容器であって、その開封後のベースを注出カバーで再度閉じた状態を示す要部縦断面図である。
【図６】同形態に係る詰め替え容器を倒立させて本体容器に内容物を詰め替える直前の状態を示す要部縦断面図である。
【図７】同形態に係る詰め替え容器を用いて本体容器に内容物を詰め替えるときの状態を示す要部縦断面図である。
【図８】本発明である注出キャップの第２の形態であって、当該キャップを詰め替え容器に採用した状態を示す要部縦断面図である。
【図９】(a)は、図８のＸ方向矢視図であって、(b)は、帯状部を取り外した後の状態を示す要部斜視図である。
【図１０】本体容器の一例である、ポンプ容器を示す側面図である。
【発明を実施するための形態】
【００１４】
以下、図面を参照して、本発明である、注出キャップの様々な形態を詳細に説明する。
【００１５】
図１中、符号１は、本発明の一形態であって、詰め替え容器２０に適用される合成樹脂製の注出キャップである。注出キャップ１は、ベースＢを有する。ベースＢは、図２に示すように、内容液ｆが充填された詰め替え容器２０の口部２１に固定される固定筒２と、口部２１上端に配置されるとともに固定筒２に一体に設けられた天壁部３とを有する。天壁部３の裏面には、口部２１の内周面２１ｆを密封保持する筒状のシール部３ａが一体に垂下する。
【００１６】
また、天壁部３には、ヒンジ蓋４の輪郭を形作る帯状部５が設けられている。帯状部５には、操作片６が一体に設けられている。本形態では、操作片６はプルリングとして構成されている。帯状部５は、図２(b)等に示すように、略Ｃ字形の外観を有し、薄肉部５ａで区画されていることから、図３に示すように、操作片６を用いて薄肉部５ａを切断することで、天壁部３から取り外すことができる。これにより、天壁部３には、図４(a)に示すように、Ｃ字形の開口部Ａで形作られたヒンジ蓋４が形成される。なお、本形態では、ヒンジ蓋４の動作性を向上させるため、天壁部３とヒンジ蓋４との連結部分（ヒンジ部分）５ｂに薄肉部５ａよりも肉厚な薄肉部ｈが形成されている。
【００１７】
注出キャップ１は、図１に示すように、ベースＢとともに注出カバーＣを有する。注出カバーＣは、ヒンジ７を介してベースＢ（天壁部３）と一体に繋がる周壁８を有する。周壁８は、図２(a)等に示すように、天壁部３との合せ面に環状溝８ｂが形成されている。環状溝８ｂには、天壁部３に形成された環状突起３ｂが嵌合することで、ベースＢに対して着脱可能に固定される。なお、本形態では、環状突起３ｂ及び環状溝８ｂにそれぞれ、互いに強固に嵌合するための凹凸部３ｂ1及び８ｂ1が設けられている。
【００１８】
また、周壁８の内側には、注出筒９を保持するとともに天壁部３との間に操作片６の収納空間Ｓ1を形成する弾性膜１０が設けられている。弾性膜１０は、外向きに突出する湾曲面で構成されたドーム状に形作られている。また、弾性膜１０は、天壁部３との間を密閉し、注出筒９の内側には、詰め替え容器２０の充填空間Ｓ２０に通じる通路Ｒが形成されている。更に、弾性膜１０には、図１に示すように、４つの凸部１１が一体に設けられている。凸部１１はそれぞれ、筒体部４から放射状に延在する。
【００１９】
注出筒９は、図５に示すように、注出カバーＣをベースＢに固定したとき、その先端９ａが弾性膜１０から突出している一方、その後端９ｂは、天壁部に形作られたヒンジ蓋４と接触する。このため、注出筒９の通路Ｒは通常、ヒンジ蓋４によって遮断されている。
【００２０】
これに対し、弾性膜１０が注出筒９の押し込み等によって変形すると、ヒンジ蓋４は、後述のように、当該注出筒９で押し開かれる。これにより、注出筒９の通路Ｒを通して詰め替え容器２０の充填空間Ｓ２０を外界に通じさせることができる。
【００２１】
ここで、本形態に係る注出キャップ１付き詰め替え容器２０を用いて、本体容器３０に内容液ｆを詰め替える作業工程を説明する。
【００２２】
本形態では、未開封時の詰め替え容器２０は、図１に示すように、シュリンクフィルムＦに覆われた注出キャップ１が装着されている。このため、詰め替え容器２０は、図２に示すように、シュリンクフィルムＦとともに、ベースＢにより密封されている。使用にあたっては、使用者は先ず、図３に示すように、ベースＢから注出カバーＣを開く。次いで、操作片６の開口部に指を通して引き上げることで、同図に示すように、天壁部３から帯状部５を取り除く。これにより、天壁部３には、図４(a)に示すように、開口部Ａで縁取られたヒンジ蓋４が形成される。そして、注出カバーＣを再度閉じれば、図５に示すように、注出筒９はヒンジ蓋４によって密封されるため、詰め替え容器２０を逆さまにしても通路Ｒを通して内容液ｆが漏れることがない。
【００２３】
このため、注出カバーＣを閉じたのち、図６に示すように、詰め替え容器２０とともに逆さにしても、内容液ｆが漏れることなく、本体容器３０の口部３１に挿入できる。このとき、本体容器３０の口部３１は、同図に示すように、弾性膜１０に設けた凸部１１に接触する。
【００２４】
そして、詰め替え容器２０を更に押し込むと、図７に示すように、弾性膜１０が変形するため、注出筒９が口部３１に対する軸線Ｏ方向の位置を維持したまま、注出キャップ１全体としては、詰め替え容器２０とともに、口部３１に押し込まれる。このとき、注出筒９の後端９ｂがヒンジ蓋４を押し上げることで、当該ヒンジ蓋４は、同図に示すように薄肉部ｈを基点に折れ曲がることで、注出筒９に形成された通路Ｒを介して詰め替え容器２０の充填空間Ｓ２０と本体容器３０の充填空間Ｓ３０とを通じさせる。これにより、詰め替え容器２０の内容液ｆは、通路Ｒを通して充填空間Ｓ３０に取り出すことができる。
【００２５】
特に、本形態では、弾性膜１０に、注出筒９から放射状に伸びる凸部１１が設けられている。このため、当該凸部１１は、口部３１の上端と接したとき、その周方向の相互間が充填空間Ｓ３０を外界に通じさせる空気置換路として機能する。従って、弾性膜１０に凸部１１を設ければ、注出筒９を倒立させた状態で挿し込んで、内容液ｆを詰め替える場合に有効である。なお、凸部１１は、少なくとも１箇所に設ければよく、また、凸部１１は、凹部に置き換えても同様の作用効果を奏する。
【００２６】
上述のように、本形態では、天壁部３に設けた帯状部５を取り外すまでは、詰め替え容器２０の未開封状態を維持することができる。そして、使用時には、注出カバーＣを開いた後、操作片６を用いて帯状部５を取り外すだけの簡単な操作で、注出部９を密封するヒンジ蓋４を天壁部３に形成することができる。このため、帯状部５を取り外したのち、詰め替え容器２０ごと逆さまにしても、詰め替え容器２０の内容液ｆは注出筒９の内側に形成された通路Ｒを通して漏れることがない。
【００２７】
その一方で、ヒンジ蓋４は、注出筒９を他の容器である、本体容器３０の口部３１に挿入させたとき、当該口部３１の上端に弾性膜１０が接触する等して、当該注出筒９で押し開かれる。これにより、詰め替え容器２０の充填空間Ｓ２０と本体容器３０の充填空間Ｓ３０とは、通路Ｒを通して通じるため、注出筒９を口部３１に挿入すれば、注出筒９の内側に形成された通路Ｒを通して内容液ｆを詰め替えることができる。
【００２８】
従って、本形態によれば、開封状態で逆さまにしても内容液ｆがこぼれることなく、注出筒９を通して取り出すことができる。
【００２９】
なお、本形態では、内容液ｆが開口部Ａを通して操作片６の収納空間Ｓ1に流入することも考慮されるが、天壁部３から弾性膜１０までの最大高さを調整し、或いは、内容液ｆの性質等に応じて帯状部５の幅を狭くするなどすれば、開口部Ａからの内容液ｆの漏れ防止に有効である。
【００３０】
また、本形態では、帯状部５は、図３等に示すように、天壁部３から別体として分離されるが、本発明によれば、天壁部３から分離させることなく、天壁部３に対して一体に繋げたままとすることも可能である。
【００３１】
図８は、本発明の注出キャップの第２の形態を採用した詰め替え容器２０である。以下、第１の形態の構成と実質的に同一の部分は、同一の符号をもって、その説明を省略する。
【００３２】
本形態は、帯状部５に設けた突起部を操作片６として、この操作片６を天壁部３側に押し込むことで、薄肉部５ａを切断するものである。薄肉部５ａは、図９(a)に示すように、ヒンジ蓋４の外観形状を１つの線で形作る。これにより、帯状部５は、薄肉部５ａを切断した後も、図９(b)に示すように、連結部５ｂを介して、天壁部３の一部として片持ち支持される。
【００３３】
この場合、帯状部５がゴミとなることがなく、帯状部５を捨てる手間を省くことができる。また、帯状部５は、薄肉部５ａを切断後、連結部５ｂを基点に復元するため、開口部Ａからの内容液ｆの漏れ防止に有効である。
【００３４】
なお、図１０は、本体容器３０の適用例であり、本体容器３０には、液体噴出器４０が取り付けられている。液体噴出器４０は、口部３１に固定されるベース４１を有し、ステム４２を介してヘッド４３が設けられた既存の蓄圧ポンプであり、ヘッド４３に設けられたノズル４４を通して詰め替えられた内容液ｆを取り出すことができる。なお、符号５０は、ステム４２に対して着脱可能に取り付けられたストッパであり、ステム４２に対して着脱可能に嵌合保持される本体５１と本体５１を着脱させるための把持部５２を一体に備える。
【００３５】
上述したところは、本発明の一形態を示したにすぎず、特許請求の範囲において、種々の変更を加えることができる。例えば、固定部２は、その内側に係合リブ２ａを有し、この係合リブ２ａが口部２１に設けられた係合リブ２１ａと嵌合することで、固定保持されるものであるが、容器口部２１に螺着させることもできる。但し、この場合には、容器口部２１に螺着させたのち、軸線Ｏ周りの回転を阻止する回り止め手段を設けることが好ましい。回り止め手段としては、例えば、口部２１に突起を設けるとともに、この突起を乗り越えて互いの相互間で挟持する２つの突起を固定部２の内側に設ける。これにより、口部２１に螺着させたのち、注出キャップ１が軸線Ｏ周りに回転することを阻止できる。
【００３６】
また、詰め替え容器２０は、保形性を有して変形し難いハードタイプの容器は勿論、変形及び復元の可能な可撓性を有するソフトタイプの容器、或いは、内層と外層の二層を有し内層が外層に対して剥離可能な剥離容器など、様々な容器に適用することができる。更に、本発明に従えば、各形態の構成要素は、各形態の相互間で転用することができる。
【産業上の利用可能性】
【００３７】
本発明は、容器の口部に固定される固定筒と、容器の口部上端に配置されるとともに固定筒に一体に設けられた天壁部と、当該天壁部から一体に起立してその内側に容器に通じる通路を形成する注出筒とを備える注出キャップであれば、様々なものに適用することができる。また、内容物も液体に限定されることなく、粉体等の流動体に適用できる。
【符号の説明】
【００３８】
１    注出キャップ
２    固定部
３    天壁部
４    ヒンジ蓋
５    帯状部
５ａ  薄肉部（切断予定部）
６    操作片
７    ヒンジ
８    周壁
９    注出筒
１０  弾性膜
１１  凸部
２０  詰め替え容器
２１  容器口部
３０  本体容器
３１  容器口部
Ｂ    ベース
Ｃ    注出カバー
Ｒ    通路
【図１】
0005744681.tif 000002
【図２】
0005744681.tif 000003
【図３】
0005744681.tif 000004
【図４】
0005744681.tif 000005
【図５】
0005744681.tif 000006
【図６】
0005744681.tif 000007
【図７】
0005744681.tif 000008
【図８】
0005744681.tif 000009
【図９】
0005744681.tif 000010
【図１０】
0005744681.tif 000011